(57)【要約】      （修正有）【課題】粉末茶と飲料水を飲料直前に混合し、淹れたての風味を味わえる混合作業性の良い飲料容器の提供。【解決手段】上部が開口し底面に機械的弱点部4ｄを設けた収納部4ｂと側周部外壁面４ｉに外部キャップ係止用凹部5ｇに係止する突起部4ｍを設け、飲料容器瓶口ネジ部に取脱自在にネジ着される内部キャップ4に、前記機械的弱点部4ｄを破断させる外周部に突起状の密栓部５ｃ，５ｄを設けた下方突出部５ａと前記係止用突起部４ｍに係止する凹部５ｇと係止溝５ｆを側周部５ｉに設けた外部キャップ５が収納部４ｂを前記密栓部５ｃ，５ｄで密閉するように装着されており、飲用時に外部キャップ５を前記係止用突起部４ｍが前記係止溝５ｆ端面に当接するまで回転させた後に押し下げて、前記係止用凹部５ｇに前記係止用突起部４ｍを嵌合係止するとともに、下方突出部５ａが前記機械的弱点部４ｄを破断させて飲料水に収納部内粉末茶を落下混合させるようにした飲料容器。【選択図】  図１
2005022706.tif 000002
【特許請求の範囲】
【請求項１】
飲料水を収納する飲料容器の瓶口のネジ部に取脱自在にキャップをネジ着し、該キャップには粉末茶を密閉収納させる収納部を設けている飲料容器のキャップにおいて、
前記キャップは内部キャップと外部キャップとから構成されており、
一方の内部キャップは上部が開口し、底面に機械的弱点部が設けられている略筒状の収納部と該内部キャップの側周部外壁面に外部キャップ係止用凹部と係止する突起部が設けられて前記瓶口のネジ部に取脱自在にネジ着されており、
他方の外部キャップは内部キャップの底面の機械的弱点部を破断させる外周部に突起状の密栓部を設けた下方突出部と内部キャップ側周部外壁面の係止用突起部に係止する凹部と係止溝が側周部に設けられて内部キャップ収納部を密閉するように内部キャップに装着されており、
常時は外部キャップが装着された状態の内部キャップを該内部キャップの収納部を前記瓶口内に挿入される状態で前記瓶口ネジ部に取脱自在にネジ着されており、
飲用時に、外部キャップを内部キャップの係止用突起部が外部キャップの係止溝端面に当接するまで回転させた後、外部キャップを押し下げることにより、外部キャップの係止用凹部に内部キャップの係止用突起部が嵌合係止されるとともに、外部キャップの下方突出部が内部キャップの収納部底面の機械的弱点部を破断させて飲料水に粉末茶を落下混合させるようにしたことを特徴とする飲料容器のキャップ構造
【発明の詳細な説明】
【０００１】
【発明の属する技術分野】
本発明は、臼等で挽いて微粉末状にした粉末茶と飲料水を分離状態に収納し、飲用時に両者を混合させて飲用する飲料容器の改良に関するものである。
【０００２】
【従来の技術】
従来、工場で調合されたお茶、コーヒー、ジュース等の飲料が缶、ビン、ペットボトル等の密閉された飲料容器に詰められて、自動販売機等で販売されている。これらのものは、実際に消費者に渡るまでに時間がかかるため、その保存期間中の経時変化で味や風味が悪くなるという問題があった。
そのため、粉末状のお茶等の食味材と飲料水を飲料直前に混合させることによって、飲用時に淹れたての風味を味わうことができるようにした飲料容器が提案されている。（例えば、特許文献１参照。）
【０００３】
これは図７に示すように飲料容器１００の本体１０１の瓶口１０３に取脱自在にネジ着されているキャップ１０４内面に形成した筒状の収納部１０５内に粉末状のお茶等の食味材１０６を収納して、食味材１０６と飲料水１０２とを分離させて保管できるようになっており、飲料時にはキャップ１０４を取外して収納部１０５の下端開口部１０７を密閉させているシール部材１０８を剥がして食味材１０６を飲料水１０２に落下混入させることにより、飲用時に淹れたての風味を味わうことができるようになっている。
【０００４】
【特許文献１】
特開２００２−１１４２５９号公報（第２頁、第３図）
【０００５】
【発明が解決しようとする課題】
しかしながら食味材１０６を飲料水に混ぜる場合、一旦キャップ１０４を緩めて瓶口１０３より取外し、シール部材１０８を剥がして食味材１０６を飲料水１０２に落下混合させることが必要となり、食味材１０６を飲料水１０２に混入攪拌させるためには再びキャップ１０４を締め直す作業が必要となるなど作業が面倒であること。
また、シール部材１０８は収納部１０５の下端開口部１０７に剥がすことができるように貼着されているため、運搬等でペットボトルに軽い衝撃等が加わった場合にシール部材が剥離することが懸念されるなど気密信頼性に欠けることなどの問題がある。
【０００６】
【課題を解決するための手段】
本願発明は上記問題点を解決するもので、
飲料水を収納する飲料容器の瓶口のネジ部に取脱自在にキャップをネジ着し、該キャップには粉末茶を密閉収納させる収納部を設けている飲料容器のキャップにおいて、前記キャップは内部キャップと外部キャップとから構成されており、
一方の内部キャップは上部が開口し、底面に機械的弱点部が設けられている略筒状の収納部と該内部キャップの側周部外壁面に外部キャップ係止用凹部と係止する突起部が設けられて前記瓶口のネジ部に取脱自在にネジ着されており、
他方の外部キャップは内部キャップの底面の機械的弱点部を破断させる外周部に突起状の密栓部を設けた下方突出部と内部キャップ側周部外壁面の係止用突起部に係止する凹部と係止溝が側周部に設けられて内部キャップ収納部を密閉するように内部キャップに装着されており、
常時は外部キャップが装着された状態の内部キャップを該内部キャップの収納部を前記瓶口内に挿入される状態で前記瓶口ネジ部に取脱自在にネジ着されており、飲用時に、外部キャップを内部キャップの係止用突起部が外部キャップの係止溝端面に当接するまで回転させた後、外部キャップを押し下げることにより、外部キャップの係止用凹部に内部キャップの係止用突起部が嵌合係止されるとともに、外部キャップの下方突出部が内部キャップの収納部底面の機械的弱点部を破断させて飲料水に粉末茶を落下混合させるようにしたことを特徴とする飲料容器のキャップ構造である。
【０００７】
【発明の実施の形態】
本発明の実施例を図を用いて説明する。
図１に示すように、１はペットボトル等からなる飲料容器である。
飲料容器１の本体２の中にはミネラルウォーター等の飲料水３が収納され、
本体２の瓶口２ａの外周面２ｂに形成されているネジ部２ｄには、上部が開口し、底面４ｃを有している略筒状の収納部４ｂが設けられているポリプロピレン樹脂（ＰＰ）などの合成樹脂製からなる内部キャップ４が側周部４ｅの内周壁面４ｆに形成されているネジ４ｇにて取脱自在にネジ着されている。
【０００８】
そして内部キャップ４の外部には、先端部が刃形状などの形状になっている下方突出部５ａを有するポリプロピレン樹脂（ＰＰ）などの合成樹脂からなる後述する外部キャップ５が下方突出部５ａを収納部４ｂに装着されるようにして設けられている。
【０００９】
なお内部キャップ４締付時には内部キャップ４のフランジ部４ａに設けられているシール部材６が瓶口２ａの上端面２ｃに当接して液漏れしないようになっており、シール部材６の代わりに、内部キャップ４の収納部４ｂ外周面に瓶口２ａ内径と同径乃至は若干大きめの外径からなる突起状の密栓部又はシール部材を設けて、液漏れしないようにさせてもよい。
【００１０】
内部キャップ４には、図４に示すように収納部４ｂの底面４ｃに外部キャップ５に設けられている下方突出部５ａの押し下げにより破断される断面が略Ｖ字形状の切溝部または薄肉部などからなる機械的弱点部４ｄがほぼ全周に渡って設けられており、
またさらに内部キャップ４側周部４ｅの外周壁面４ｊには後述する外部キャップ５の係止溝５ｆ、凹部５ｇに係止する略矩形形状の突起部４ｍが設けられている。
【００１１】
なお機械的弱点部４ｄの破断時に底面４ｃが飲料水３内へ落下しないように、底面４ｃの一部分には機械的弱点部４ｄが設けられていない連結部４ｈが設けられている。
【００１２】
次に外部キャップ５は図５（ａ）に示すように、先端部が刃形状などの形状になっている下方突出部５ａと内部キャップ４の突起部４ｍと係止する係止溝５ｆ、凹部５ｇが内周壁面５ｈに設けられている側周部５ｉから構成されている。
【００１３】
下方突出部５ａの内側には窪み部５ｅが設けられ、下方突出部５ａの外周部には内部キャップ４の収納部４ｂ内径と同径乃至は若干大きめの外径からなる突起状の密栓部５ｃ、５ｄが設けられている。
【００１４】
突起状の密栓部５ｃ、５ｄが収納部４ｂ内周面に当接して収納されている粉末茶７を密閉しているため、長期間の保存に対しても粉末茶７が経時変化で新鮮度を失うことなく、飲用時に擂りたての美味しい風味を味わうことができるようになっている。
【００１５】
内周壁面５ｈに設けられている係止溝５ｆ、凹部５ｇは、図５（ｂ）に示すように、係止溝５ｆが略Ｌ字の鉤の手形状に形成されおり、また凹部５ｇは係止溝５ｆの略Ｌ字形状の上部端面に位置して設けられ、内部キャップ４の突起部４ｍの略全周面と嵌合係止するように係止溝５ｆよりも深く窪んでいるように形成されている。
【００１６】
なお窪み部５ｅの形状、深さは本実施例に限定されるものではなく、任意の大きさにすることができ、また窪み部５ｅに粉末茶７を入れて内部キャップ４を挿着させるようにすることにより、製造時の粉末茶７の収納を容易におこなうことができる。
【００１７】
次に本実施例の飲用方法について説明する。
本飲料は、図１に示すように臼等で挽いて微粉末状にした粉末茶７が内部キャップ４の収納部４ｂに収納されて、飲料水３と粉末茶７を常時分離された状態で飲料容器１内に収納されており、売店や自動販売機などで販売されている。
【００１８】
飲用時には、図示していない外部キャップ５等に記載されている操作方法に従って、内部キャップ４側周部４ｅの外周壁面４ｊに設けられている略矩形形状の突起部４ｍ側端面が、外部キャップ５の側周部５ｉの内周壁面５ｈに設けられている係止溝５ｆの側端面に当接して止まるまで外部キャップ５を左回転させた後、外部キャップ５を押し下げる。
この時、外部キャップ５の下方突出部５ａの外周部に設けられている密栓部５ｃ、５ｄがカイドの役割を果たして、外部キャップ５が真っ直ぐに押し下げられる。
【００１９】
外部キャップ５を押し下げることにより、図２に示すように係止溝５ｆの上部に位置している係止溝５ｆよりも深く窪んでいる凹部５ｇに内部キャップ４の突起部４ｍ外周部全体が嵌合挿入されて係止されるため、外部キャップ５と内部キャップ４が一体となって回動するようになる。
またさらに外部キャップ５の係止溝５ｆに内部キャップ４の突起部４ｎが嵌合係止されるようにもなっている。
【００２０】
同時に外部キャップ５を押し下げることにより、外部キャップ５の下方突出部５ａが内部キャップ４の収納部４ｂの底面４ｃに当接し、更に底面４ｃを上方から押し下げて機械的弱点部４ｄを破断させることにより落下口が開口し、収納部４ｂ内に収納している粉末茶７を前記落下口（破断部）より飲料水３内へ落下させる。
【００２１】
なおこの時外部キャップ５の密栓部５ｃにより、収納部４ｂ内の粉末茶７が一部残らず押し出されるため、落下口（破断部）付近でだま状になった粉末茶７を落とすことができ、落下口の一部を塞ぐことなく粉末茶７を確実に落下させることができる。
【００２２】
なおこの時内部キャップ４底面４ｃの連結部４ｅにより底面４ｃが飲料水３内へ落下しないようになっている。
そして飲料容器１を振り、粉末茶７を飲料水３によく攪拌混合させる。
なおこの時密栓部５ｃとシール部材６により飲料容器１の密閉性が確保されているため、飲料容器１を振っても液漏れすることがない。
【００２３】
その後外部キャップ５を左回転させると、係止用突起部４ｍと係止用凹部５ｇで係止されているため内部キャップ４が一体となって左回転されて、図３に示すように瓶口２ａより外部キャップ５と内部キャップ４が一体状態で取り外され、飲用する。
【００２４】
このように、外部キャップ５を回転させて押し下げる操作のみのより粉末茶７を飲料水３に落下させて、飲料容器１を振って混合させることが、手を汚すことなく容易に行える。
【００２５】
さらに図６に示すように、外部キャップ５、内部キャップ４の外側にシートなどシール部材１０を被着させるようにして、外部キャップ５の不正操作防止を行うようにしてもよく、また不正開放防止部９を設けるようにすることもできる。
なお、図１と同じ部品については同じ符号を付けて、説明を省略する。
【００２６】
シール部材１０は外部キャップ５の不正操作が分かるように外部キャップ５が回転及び下方へ移動できないように外部キャップ５側周部外面と内部キャップ４側周部外壁面に被着されており、飲用時に剥がし易いようにミシン目などが設けられており、飲用時に剥がして使用される。
また不正開放防止部９は、内部キャップ４の開放有無が分かるようにミシン目等の切欠部または薄肉などを設けた接続部９ａと係止部９ｂが設けられて、内部キャップ４側周部４ｅの下面４ｉに設けられている。
【００２７】
不正開放防止部９は、接続部９ａが内部キャップ４側周部４ｅの下面４ｉに繋がっており、係止部９ｂが瓶口２ａのネジ部２ｄ下方に設けられている突起部２ｅに係止されているため、
内部キャップ４が左回転されて瓶口２ａより内部キャップ４が取り外される時に、不正開放防止部９の係止部９ｂが瓶口２ａのネジ部２ｂ下方の突起部２ｅに係止されているため、不正開放防止部９の接続部９ａが内部キャップ下面４ｉから切断され、開放したことが容易に判別できるようになっている。
【００２８】
なお飲用後に再資源可能に分別できるように、不正開放防止部９の縦方向にミシン目または切り込み等を設けて、不正開放防止部９を飲料容器１から外せれるようにしてもよい。
【００２９】
なお飲料容器の本体２に収納されるものは飲料水３に限定されるものではなく、液体のものであればよく、更にまた収納部４ｂ内に収納されるものは粉末茶７に限定されるものではなく、粉末状にしたコーヒー、紅茶、果汁などの他、香料、薬味等の食味材を入れて使用することもできる。
また、外部キャップ５の下方突出部５ａ外周面の密栓部５ｃの代わりに、Ｏリング等のシール部材を下方突出部５ａの外周に止着させるようにしてもよい。
【００３０】
【発明の効果】
内部キャップ４の収納部４ｂに収納された粉末茶７は、常時は収納部の底面４ｃと外部キャップ５の密栓部５ｃにより密閉されているため、粉末茶７は新鮮度を失うことなく、飲用時には外部キャップ５の操作のみで、常に擂りたての美味しいお茶を味わうことができるため、混合時にキャップの着脱作業などの作業が不要となる。
【００３１】
また外部キャップ５の押し込み時、下方突出部５ａにより収納部４ｂの底面４ｃの機械的弱点部４ｄを破断して落下口を形成し、そこから収納部内の粉末茶７を飲料水３の水面上へ落下させるのであるが、かかる場合、密栓部５ｃにより、収納部内の粉末茶７が一部残らず押し出されるため無駄が無く、
而もこの時密栓部５ｃにより収納部内の粉末茶７が上部方向へ漏れ出ることがない。
【００３２】
また、下方突出部５ａにより収納部の底面の機械的弱点部が破断されその落下口より粉末茶７が飲料水３の水面上に落ちた状態においても、シール部材６が瓶口２ａの上端面部２ｃに当接して飲料容器の気密を維持しているため、飲料容器を振って粉末茶７と飲料水３を混ぜ合わせる時にも飲料水漏れが起こらずにできるため、手を汚すことがなく混合させることができる。
【図面の簡単な説明】
【図１】本願発明の実施例を示す説明図である。
【図２】図１の混合状態時の説明図である。
【図３】図１の飲用時の説明図である。
【図４】内部キャップの説明図である。
（ａ）平面図
（ｂ）断面図
【図５】外部キャップの説明図である。
（ａ）断面図
（ｂ）下方突出部５ａを省略させた断面図
【図６】別の実施例を示す説明図である。
【図７】従来例の説明図である。
【符号の説明】
１      飲料容器
２      本体
２ａ    瓶口
３      飲料水
４      内部キャップ
４ｂ    収納部
４ｍ    突起部
５      外部キャップ
５ａ    下方突出部
５ｃ、５ｄ  密栓部
５ｆ    係止溝
５ｇ    凹部
６      シール部材
７      粉末茶
９      不正開放防止部
【図１】
2005022706.tif 000003
【図２】
2005022706.tif 000004
【図３】
2005022706.tif 000005
【図４】
2005022706.tif 000006
【図５】
2005022706.tif 000007
【図６】
2005022706.tif 000008
【図７】
2005022706.tif 000009